(57)【要約】【課題】複数のプリンタヘッドのカラーマッチングをとるための色変換特性のデータや、プロジェクタの色補正の際の補正データを少なくし、特にγ補正等の階調変換処理での補正データをより少なくし、これら補正データを少ないメモリ容量で保持できる階調変換装置及び色変換装置を提供すること。【解決手段】プロジェクタやプリンタ等の画像出力装置において、当該出力装置の各領域または各画素の階調変換特性又は色変換特性を、主成分分析法により圧縮することにより、階調変換又は色変換の補正データを少ないメモリ容量で保持でき、かつ圧縮しない場合とほぼ同等に階調変換又は色変換することができるものである。【選択図】　　図１
2004007274.tif 000002
【特許請求の範囲】
【請求項１】
画像信号の表示または印刷を行う出力装置の階調変換特性に合わせて、入力の画像信号に対して階調の変換を行う階調変換装置において、
複数の領域または画素の階調変換特性に対して、複数の領域または画素における階調変換特性の平均特性と、この平均特性と各々の領域または画素での階調変換特性の差分特性に対する適切な次数の主成分信号を記憶する手段と、
各領域または画素に対応した主成分の係数を記憶する手段と、
各々の領域または画素の入力画像信号に対して、前記主成分信号と前記主成分の係数との線形結合によって階調変換特性を表現する手段と
を備えていることを特徴とする階調変換装置。
【請求項２】
前述の平均特性と、主成分信号を量子化して記憶する場合に、各々の信号の寄与率によって、量子化のビット幅を変更する手段を備え、記憶させることを特徴とする請求項１記載の階調変換装置。
【請求項３】
マルチバンドの入力のカラー画像信号に対して、ＣＩＥ−ＸＹＺまたはＬ＊ａ＊ｂ＊等のデバイスインディペンデントな色空間に変換した後、カラー画像信号の表示または印刷を行う出力装置の複数の領域または画素の色出力特性に合わせて、カラープロファイルの変換を行う色変換装置において、
複数の領域または画素のカラープロファイル変換特性の平均特性と、この平均特性と各々の領域または画素でのカラープロファイル変換特性の差分特性に対する適切な次数の主成分信号を記憶する手段と、
各々の領域または画素に対応した主成分の係数を記憶する手段と、
各々の領域または画素で出力すべきデバイスインディペンデントな色信号に対して、前記主成分信号と前記主成分の係数との線形結合によってカラープロファイル変換特性を表現する手段と
を備えていることを特徴とする色変換装置。
【請求項４】
前述の平均特性と、主成分信号を量子化して記憶する場合に、各々の信号の寄与率によって、量子化のビット幅を変更する手段を備え、記憶させることを特徴とする請求項３記載の色変換装置。
【請求項５】
画像信号の表示または印刷を行う出力装置の階調変換特性に合わせて、入力の画像信号に対して階調の変換を行う階調変換装置において、
複数の領域または画素の階調変換特性に対して、複数の領域または画素における階調変換特性の平均特性と、この平均特性と各々の領域または画素での階調変換特性の差分特性に対する適切な次数の主成分信号と、各領域または画素における主成分信号の係数を算出し、さらに主成分の係数空間において、係数の分布を元にクラスタリングを行い、標本となる係数または係数ベクトルを算出する手段と、
前述の平均特性と、差分特性の主成分と標本となる係数または係数ベクトルから、標本となる階調変換特性の曲線を算出する手段と、
前述のクラスタリングにより、各クラスタを構成する係数の集合と標本となる係数を対応させる手段と、
領域または画素における主成分の係数と標本となる階調変換特性を結びつけるようなルックアップテーブルを作成する手段とを備え、
前述の標本となる階調変換特性の曲線と、各領域または画素に対応するルックアップテーブルを記憶し階調変換を行うことを特徴とする階調変換装置。
【請求項６】
マルチバンドの入力のカラー画像信号に対して、ＣＩＥ−ＸＹＺまたはＬ＊ａ＊ｂ＊等のデバイスインディペンデントな色空間に変換した後、カラー画像信号の表示または印刷を行う出力装置の複数の領域または画素の色出力特性に合わせて、カラープロファイルの変換を行う色変換装置において、
出力装置の複数の領域または画素の色出力特性に基づいて、作成したガマットマッピングの重複した領域のみを抽出し、その重複した領域に対して、複数の領域のカラープロファイル変換特性に対して、平均特性と各々の領域でのカラープロファイル変換特性の差分特性に対する適切な次数の主成分信号を算出する手段と、
各領域または画素に対応した主成分の係数を記憶する手段と、
前記出力装置の各々の領域または画素に対応したカラープロファイル変換特性を前記差分特性の主成分係数によって表現する手段と
を備えていることを特徴とする色変換装置。
【請求項７】
前記出力装置の複数の領域または画素の色出力特性に基づいて、作成したガマットマッピングの重複した領域と、重複の無い領域を分割し、重複している領域に対して、主成分の係数として記憶し、重複の無い領域に関しては、個々のカラープロファイルの変換特性を記憶し、前記の出力装置の複数の領域または画素に対応するカラープロファイル変換特性を、前記重複領域の主成分の係数と、前記非重複領域のカラープロファイル変換特性の合成により生成する手段を
さらに備えていることを特徴とする請求項６記載の色変換装置。
【発明の詳細な説明】
【０００１】
【発明の属する技術分野】
本発明は，デジタルカラー複写機，カラープリンタ、プロジェクタなどにおける階調または色信号を変換する階調変換装置及び色変換装置に関する。
【０００２】
【従来の技術】
近年，カラー画像を扱うメディアは様々な形態で発達してきている。例えば、カラースキャナにより文字・画像を読み取り，コンピュータのディスプレイ上で編集・加工し，その結果をカラープリンタなどによりプリント出力するシステムが知られている。
【０００３】
しかし，この場合，ディスプレイ上で再現される色とプリント出力される色とは色再現の方法や混色系（ＲＧＢ，ＣＭＹ）の違い，および色再現範囲（ガマット）の不一致により相互に異なる色となることもよく知られていることである。
【０００４】
特に、プリンタなどの出力装置ではその印刷速度を上げるために複数のヘッドを並列で駆動する方式がとられており、これら複数のヘッドの出力特性を考慮して、複数の色変換特性（カラープロファイル）のデータを持つようにして、全てのヘッドでのカラーマッチングを採る方法が考えられる。
【０００５】
また一方、複数のプロジェクタを用いた表示システムも開発されている。このシステムでは特開２０００−２５３２６３号公報のようにプロジェクタの投影画像をそれぞれオーバーラップさせ、複数のプロジェクタの画像が繋がるように色補正を行っている。
【０００６】
【発明が解決しようとする課題】
しかしながら，プリンタの場合に上述の複数のヘッドの数を多くすると、プリンタのスループット（効率）が向上する反面、大量の色変換特性（カラープロファイル）のデータを持つようにして、全てのヘッドでのカラーマッチングをとるようにしなければならなかった。このため、大量のメモリを搭載しなければならないという問題があった。
【０００７】
特に、高速プリントを目標としたシステムではプリンタヘッドを図１７のように副走査方向（用紙搬送方向）に複数並べて印刷するが、各ヘッドが位置ずれなく取り付けられていない場合には印字領域に色むらを生じてしまう。
【０００８】
例えば、図１７の例ではＣＭＹＫ（シアン，マゼンタ，イエロー，黒）の４色の各ヘッドの並びが、Ｃ（シアン）ヘッドだけ異なることを示している。この場合に印字結果は図１８のように、ＫＭＹヘッドの印字ドットは同じ位置に印字されるが、Ｃヘッドだけが異なる位置に印字されてしまう。つまり、図１８ではヘッドの左側は一致しているが、ヘッドの右側に行くに従いずれが大きくなることを示しておりヘッド内で色むらが生じてしまう。
【０００９】
通常、カラープリンタシステムでは色処理にカラープロファイルが利用されるが、これはヘッドがきちんと位置決めされ、印字されるドットが全て同じ位置に印字されることを前提に作成されている。なお、カラープロファイルは、それぞれのカラープリンタからどんな色が出力されるかという情報が書かれたものであり、オペレーティングシステム（ＯＳ）のカラーマネジメントシステム（ＣＭＳ）という機能でカラープロファイルの設定が行えるようになっている。
【００１０】
図１８のような場合には、ヘッド印字幅内で各色の印字ドットの重なりが異なり、１ヘッドの印字幅の中でも印字ドット間で印字色の特性が異なることから、ヘッド内でカラープロファイルを切り替えるような処理が必要となる。例えば、ドットまたは微小領域毎にカラープロファイルを切り替えるとすれば、色むらもなくなり良好な印字が期待されるが、カラープロファイルのデータ量が莫大になる。
【００１１】
カラープロファイルによる処理機能を実現するには、図１９のようにＣＭＹＫ変換マトリクスとγ補正部で構成したり、図２０のようにＣＭＹＫ変換テーブルのみで構成する場合がある。
【００１２】
図１９では、各ドットに対応したＲＧＢ入力データが、それぞれのドットに対応したカラープロファイル、つまりＣＭＹＫ変換マトリックスにより、印字色のＣ、Ｍ、Ｙ、Ｋに変換されてから、それぞれのドットに対応したγ補正が行われ、対応する印字ヘッドに出力され印字される。なお、各ドットの色特性の違いのほか、濃度特性も違う場合は、図１９のγ補正が必要であるが、各ドットに濃度特性の違いがない場合は図２０のようにＲＧＢ入力データがＣＭＹＫ変換テーブルでＣＭＹＫデータに変換するだけの処理手順となる。
【００１３】
一方、プロジェクタを用いた表示システムでは、図２１のようにプロジェクタ単体でのＲＧＢデータの色補正はマトリクス補正とＲＧＢ各色に対するγ補正により行われる。プロジェクタのγ特性はＤＬＰプロジェクタ（ＤＬＰはＤｉｇｉｔａｌ　Ｌｉｇｈｔ　Ｐｒｏｃｅｓｓｉｎｇの略）では画面内でほとんど均一であるが、ＬＣＤプロジェクタ（ＬＣＤはＬｉｑｕｉｄ　Ｃｒｙｓｔａｌ　Ｄｉｓｐｌａｙの略）では画面内でのばらつきが１０％あるためγ補正は画像内で適応的に行う必要があり、この場合にはγ補正部が莫大になる。
【００１４】
また、特開２００１−２１５６４２号公報に示すものは、図２２のように複数のプロジェクタ１０ｒ，１０ｓを利用して高精細表示を行うものであるが、スクリーン２０上でのオーバーラップ部分の輝度上昇を抑えるために光量制限手段３０として遮光板を利用している。この遮光板は光束を遮ることになるため、ＬＣＤプロジェクタの場合にはこの遮光部分（図２２の領域Ａ）で急激にγ特性が変化する。この変化に対応するには画素毎、または微小領域毎に補正するγ特性を変化させる必要があり、やはりγ補正演算が膨大となる。
【００１５】
本発明は上記の状況に鑑み、複数のプリンタヘッドのカラーマッチングをとるための色変換特性のデータや、プロジェクタの色補正の際の補正データを少なくし、特にγ補正等の階調変換処理での補正データをより少なくし、これら補正データを少ないメモリ容量で保持できる階調変換装置及び色変換装置を提供することを目的とするものである。
【００１６】
【課題を解決するための手段】
第１の発明は、画像信号の表示または印刷を行う出力装置の階調変換特性に合わせて、入力の画像信号に対して階調の変換を行う階調変換装置において、複数の領域または画素の階調変換特性に対して、複数の領域または画素における階調変換特性の平均特性と、平均特性と各々の領域または画素での階調変換特性の差分特性に対する適切な次数の主成分信号を記憶する手段と、各領域または画素に対応した主成分の係数を記憶する手段と、各々の領域または画素の画像入力信号に対して、前記主成分信号と前記主成分の係数との線形結合によって階調変換特性を表現する手段とを備えていることを特徴とする。
【００１７】
なお、第１の発明の階調変換装置において、前述の平均特性と、主成分信号を量子化して記憶する場合に、各々の信号の寄与率によって、量子化のビット幅を変更する手段を備え、記憶させることが好ましい。
【００１８】
第２の発明は、マルチバンドの入力のカラー画像信号に対して、ＣＩＥ−ＸＹＺまたはＬ＊ａ＊ｂ＊等のデバイスインディペンデントな色空間に変換した後、出力装置の複数の領域または画素の色出力特性に合わせて、カラープロファイルの変換を行う色変換装置において、複数の領域または画素のカラープロファイル変換特性の平均特性と、平均特性と各々の領域または画素でのカラープロファイル変換特性の差分特性に対する適切な次数の主成分信号を記憶する手段と、各々の領域または画素に対応した主成分の係数を記憶する手段と、各々の領域または画素で出力すべきデバイスインディペンデントな色信号に対して、前記主成分信号と前記主成分の係数との線形結合によってカラープロファイル変換特性を表現する手段とを備えていることを特徴とする。
【００１９】
なお、第２の発明の色変換装置において、前述の平均特性と、主成分信号を量子化して記憶する場合に、各々の信号の寄与率によって、量子化のビット幅を変更する手段を備え、記憶させることが好ましい。
【００２０】
第３の発明は、画像信号の表示または印刷を行う出力装置の階調変換特性に合わせて、入力の画像信号に対して階調の変換を行う階調変換装置において、複数の領域または画素の階調変換特性に対して、複数の領域または画素における階調変換特性の平均特性と、平均特性と各々の領域または画素での階調変換特性の差分特性に対する適切な次数の主成分信号と、各領域または画素における主成分信号の係数を算出し、さらに主成分の係数空間において、係数の分布を元にクラスタリングを行い、標本となる係数または係数ベクトルを算出する手段と、前述の平均特性と、差分特性の主成分と標本となる係数または係数ベクトルから、標本となる階調変換特性の曲線を算出する手段と、前述のクラスタリングにより、各クラスタを構成する係数の集合と標本となる係数を対応させる手段と、領域または画素における主成分の係数と標本となる階調変換特性を結びつけるようなルックアップテーブルを作成する手段とを備え、前述の標本となる階調変換特性の曲線と、各領域または画素に対応するルックアップテーブルを記憶し階調変換を行うことを特徴とする。
【００２１】
第４の発明は、マルチバンドの入力のカラー画像信号に対して、ＣＩＥ−ＸＹＺまたはＬ＊ａ＊ｂ＊等のデバイスインディペンデントな色空間に変換した後、出力装置の複数の領域または画素の色出力特性に合わせて、カラープロファイルの変換を行う色変換装置において、出力装置の複数の領域または複数の画素の色出力特性に基づいて、作成したガマットマッピングの重複した領域のみを抽出し、その重複した領域に対して、複数の領域のカラープロファイル変換特性に対して、平均特性と各々の領域でのカラープロファイル変換特性の差分特性に対する適切な次数の主成分信号を算出する手段と、各領域または画素に対応した主成分の係数を記憶する手段と、前記出力装置の各々の領域または画素に対応したカラープロファイル変換特性を前記差分特性の主成分係数によって表現する手段とを備えていることを特徴とする。
【００２２】
なお、第４の発明において、出力装置の複数の領域または複数の画素の色出力特性に基づいて、作成したガマットマッピングの重複した領域と、重複の無い領域を分割し、重複している領域に対して、主成分の係数として記憶し、重複の無い領域に関しては、個々のカラープロファイルの変換特性を記憶し、前記の出力装置の複数の領域または複数の画素に対応するカラープロファイル変換特性を、前記重複領域の主成分の係数と、前記非重複領域のカラープロファイル変換特性の合成により生成する手段を、さらに備えていることが好ましい。
【００２３】
【発明の実施の形態】
発明の実施の形態について図面を参照して説明する。
〔第１の実施の形態〕
図１〜図５は本発明の第１の実施の形態の階調変換装置に係るものである。図１は階調変換装置の構成を示している。この実施の形態は、プロジェクタへの応用を例として示している。
【００２４】
プロジェクタは画面内の各位置で階調変換特性（一般にγ特性と呼ぶ）が異なる。ここで各位置とは、具体的には画面を構成する複数の領域または画素を意味している。画面内の各位置でγ特性が異なるために、輝度を上げていくと面内に色むらが生じる。この色むらを解消するためには、プロジェクタ自身のもつγ特性をキャンセルするように、プロジェクタの画面内の各位置での入力信号に対して階調変換（逆γ補正演算）を行う。本実施形態は、この逆γ補正演算を少ないメモリ容量で行うようにしたものである。
【００２５】
画像信号生成手段１０１で生成された入力の画像信号１０１に対して、第１のレベル変換手段１０２にて複数の領域または画素における逆γの平均特性のレベル変換を行う一方、第２のレベル変換手段１０３−１，１０３−２，…１０３−Ｎにて前出の平均特性と各々の領域または画素での逆γの差分特性の主成分によるレベル変換を行う。なお図１中の２５６Ｂｙｔｅ＊Ｎは、データ容量を表しており、主成分を２５６個の１バイトの整数で表した場合に第Ｎ成分までで合計２５６ｂｙｔｅのデータをＮ個記録する必要があることを示している。
【００２６】
また一方、アドレス生成手段１０４にて生成された各領域または画素のアドレスに対して、各領域または画素の主成分の係数ａ１，ａ２，…ａＮを持たせたテーブル１０５をメモリ手段に記憶しておく。
【００２７】
そして、第２のレベル変換手段１０３−１，１０３−２，…１０３−Ｎにて各々の領域または画素での逆γの差分特性の主成分でレベル変換した信号に対して、乗算器１０６−１，１０６−２，…１０６−Ｎでテーブル１０５に記憶された各領域または画素に対する主成分の係数ａ１，ａ２，…ａＮを乗算する。なお、上述のＮは主成分の数である。
【００２８】
乗算器１０６−１，１０６−２，…１０６−Ｎによる乗算結果は、加算器１０７において各主成分の和が取られ、さらにその加算結果と第１のレベル変換手段１０２からの平均特性との和を加算器１０８で取り、階調変換された信号値Ｓとして出力される。
【００２９】
次に、上述の第１の実施形態での、第１のレベル変換手段における逆γの平均特性と第２のレベル変換手段における逆γの差分特性の主成分の各算出方法について説明する。換言すれば、複数の領域または画素の階調変換特性に対して、複数の領域または画素における階調変換特性の平均特性と、この平均特性と各々の領域または画素での階調変換特性の差分特性に対する適切な次数の主成分信号を求める。
【００３０】
図２に示すように、予め、領域または画素ごとに測定して求めた階調変換特性（γ特性）をγａ，γｂ，…とする。従来は、γ特性を離散的に求めて、その中間点に関しては、双１次補間等の方法で補完的に求めていた。この方法を用いるにしても、その格子点の数だけの曲線を記憶しておかなければならない。これに対して、本第１の実施形態では、まず全ての領域または画素のγ特性の平均の特性を算出し（図３（ａ）参照）、それぞれの領域ａ，ｂ，…でのγ特性と平均の特性との差分特性の主成分分析を行う（図３（ｂ）参照）。
【００３１】
差分特性に関して、各領域あるいは画素を試行回数と見なし、共分散行列を求め、その行列に対して正規直交変換を行う。このようにして求めた主成分とそれぞれの差分特性を各々係数ベクトルと見なしそれらの内積を各領域または画素における主成分の係数ａ１，ａ２，…ａＮとする。
【００３２】
差分の信号に対して主成分分析を行うのは、２つの効果がある。１つは、各γ特性に対して平均特性の寄与と主成分の寄与に分割できるために、それらの寄与率に応じて量子化のビット幅を変更できるためである。従って、平均特性と主成分信号を量子化して記憶する場合に、各々の信号の寄与率によって、量子化のビット幅を変更する手段を設け、メモリに記憶させることで記憶容量を少なくできる。例えば、輝度信号を２５６階調で表現する場合に、原信号に対しての第１主成分の寄与率が平均特性に対して１０％程度である場合には、平均の特性を８ｂｉｔで表し、第１主成分は５ｂｉｔで良い、さらに高次の主成分では寄与率が下がるのでそれに応じて記憶手段としてのレジスタのビット幅を変更するようにすれば良い。もう１つは、直交変換の計算の工夫で、共分散行列から固有ベクトルを求めるに際して、仮にランク落ちがあったとしても誤差を解消することが出来るからである。
【００３３】
このようにして、逆γの平均特性と逆γの差分特性の主成分を算出して記憶し、図４のように各領域または画素のγ特性はこれらの線形結合で表現する。各領域または画素に対しては各主成分の係数を求めるようにすればよい。記憶する主成分の次数に関しては、復元できるγ特性と実際の特性の誤差によって評価し、実用上問題にならない誤差になるまでの次数を採用する。
【００３４】
第１の実施形態では、入力画像信号における各領域または画素のγ特性をキャンセルするような階調変換を行うために、実際にメモリ手段に記憶するのは、平均γ特性の逆変換特性と、差分信号の主成分の逆変換特性ということになる。これにより、補正に必要なメモリ容量が少なくて済むという利点を生ずる。
【００３５】
図５は、図１の本実施の形態に対する変形例である。図５では、図１における第１のレベル変換手段１０２で画像信号に逆γの平均特性を乗算した信号を、加算器１０８に入力する一方、第２のレベル変換手段１０３−１’，１０３−２’，…１０３−Ｎ’に入力する構成としたことと、これに伴い、第２のレベル変換手段１０３−１’，１０３−２’，…１０３−Ｎ’を構成する主成分を記憶する各レジスタには、逆γの差分特性の主成分に平均のγ特性でレベル変換したものを記憶しておく構成としたことである。このような構成により、図１と同様な作用効果が得られる。なお図５中の（逆γの差分特性の主成分）＊（平均のγ特性）は、それぞれの特性曲線がベクトル（数の配列）で表せたときの積を表している。この積はベクトルの要素毎に積を示している。すなわち逆γ特性のｋ番目の成分と平均のγ特性のｋ番目の値の積を出力特性のｋ番目の値とするものである。
【００３６】
〔第２の実施の形態〕
図６〜図１１は本発明の第２の実施の形態の色変換装置に係るものである。この実施の形態は、カラープリンタへの応用を例として示している。
【００３７】
従来のカラープリンタのような出力装置では、複数のプリンタヘッドによるマルチヘッドを用いる場合に、各プリンタヘッドの色変換特性の差違をキャンセルする必要がある。図６（ａ）に示すように、デバイスインディペンデントなＸＹＺ色空間で或る値を示す色Ｘｉ，Ｙｉ，Ｚｉに対して、第１のプリンタヘッド（１）を制御する信号をＣ，Ｍ，Ｙ，Ｋとする。第２の別のヘッド（２）では図６（ｂ）に示すようにＸｉ，Ｙｉ，Ｚｉに対して制御信号をＣ’，Ｍ’，Ｙ’，Ｋ’としなければならないとする。これらの発色を統一させようとすると各ヘッドごとに色変換を行うカラーマネージメントのテーブルを持っていなければならない。従って、カラープリンタは、図７に示すようにカラー信号生成手段１２１で生成されたカラー信号は分配器１２２にて複数の信号に分解され、各信号ごとの変換テーブル（１，２，…Ｎ）を通して各ヘッド（１，２，…Ｎ）に供給される構成とすることが必要があり、ヘッドの数が多くなるほど変換テーブルの数も多くなり大量のメモリを必要とする。なお、カラープロファイル変換の場合、３次元の引数（ＲＧＢ）に対して４つの変数（ＣＭＹＫ）を与えるようなテーブルになっている。
【００３８】
そこで、本第２の実施の形態では、前記第１の実施の形態で図２、図３を用いて説明した主成分分析の手法と同等に全てのヘッドのカラープロファイルの平均特性を求める。なお第２の実施の形態では、γ特性あわせるかわりに各プリントヘッドの色変換特性をあわせる。例えば、まず算術平均を用いてＣＭＹＫの各インク色ごとに各プリンタヘッドの領域または画素ごとの平均特性を求める。次に、それぞれのヘッドに対して平均のカラープロファイルの差分特性を求める。各ヘッドの差分特性に対して、主成分分析を行う。次に各ヘッドの差分特性と主成分の内積から主成分の係数を算出する。
【００３９】
このようにして求めた平均のカラープロファイルと、差分特性の主成分を記憶する。採用する主成分の次数に関しては上述と同様に誤差を評価して行う。
【００４０】
図８及び図９は、第２の実施形態の色変換装置の構成を示している。
図８はＣＭＹＫの１個の出力特性を示す構成である。図９ではこれらの特性をＣＭＹＫの各色に割り当てた構成になっている。図９では、カラー信号生成手段２０１からのカラー信号（ＸＹＺ）が供給されカラープロファイルの変換を行う色変換装置をＣＭＹＫの４つのバンド分で構成し（符号２００−１〜２００−４にて示す）、プリンタヘッドのＣＭＹＫの４つのインクヘッド（符号２０３−１〜２０３−４にて示す）を制御する構成となっている。
【００４１】
図８において、各ヘッド（例えばヘッド２０３−１）に対して、上述の方法で求めた主成分の係数ａ１，ａ２，…ａＮをテーブル２０４としてメモリ手段に記憶する。この場合、ＣＭＹＫの各信号に関して必要な主成分の次数分だけのテーブルを持っている。ＸＹＺカラー信号２０１に対して、差分特性に関する第１，第２，…第Ｎの主成分を有する変換手段２０２−１，２０２−２，…２０２−Ｎにより差分のカラー成分を求め、各ヘッドに割り当てられた相当する色の主成分の係数ａ１，ａ２，…ａＮを乗算器２０５−１，２０５−２，…２０５−Ｎにて乗ずる。そして、ヘッド個々の出力特性信号から差分特性の主成分に係数ａ１，ａ２，…ａＮを乗じた信号の和を加算器２０６にて求め、さらに加算器２０７でカラー信号生成手段２０１からの平均のカラープロファイルに加算して、色変換された信号値Ｓを得る。なお、通常プリンタヘッドではインク色としてＣＭＹＫを用いており加法・減法混色が成立しないので、カラー信号の全ての組み合わせに対してヘッドの各色の特性を持っていなければならない。
【００４２】
マルチヘッドのプリンタでは、図１０（ａ）〜（ｃ）に示す手順で、測色の結果から複数のガマットマッピングのデータ圧縮を行う。これについて図１０及び図１１を参照して説明する。
【００４３】
図１０では、各プリンタヘッドに対して、図１０（ａ）のような所定の制御信号によって例えばインクの吐出を制御して、その吐出結果を測色計によって図１０（ｂ）のようにＸＹＺ色で測定する。この関係の逆変換を行い、図１０（ｃ）に示すようにＸＹＺ色空間からインクの吐出量を求められるようなテーブルを作成する。これを複数のヘッドについて行うとガマット境界が一致しないという不具合が生じる。これによって、彩度または輝度がガマットマッピングの周辺になるにつれて表現できない色が出てくる。そこで、図１１に示すように、ガマットマッピングの重複した領域のみを抽出し、その重複した領域に対して、複数の領域のカラープロファイル変換特性に対して、平均特性と各々の領域でのカラープロファイル変換特性の差分特性に対する適切な次数の主成分信号を算出することによって、出力装置の、各領域、あるいは各画素に対応したカラープロファイルを主成分の係数として記憶する。つまり、重複した領域については、主成分による圧縮が行われる。さらに、重複の無い領域に関しては、個々領域または画素に対するカラープロファイルの変換特性を非圧縮で記憶する。この様にして得られた、主成分の係数と非圧縮の色変換特性を合成して記憶させ、出力装置の複数領域または複数画素に対応するカラープロファイル変換特性とする。
【００４４】
なお、本第２の実施形態では、ヘッド間で色が異なることを前提に説明をしたが、図１７のような場合にはヘッド内でも色が異なることもあり、このような場合に対しても本実施形態が適用できることは当然である。
【００４５】
以上述べた第１，第２の実施形態では、記憶するデータ容量が減少する利点を有しているが、乗算器を必要としており演算負荷は重いという欠点を有する。そこで、次の第３の実施形態では演算を非常に軽くする方式に関して説明する。
【００４６】
〔第３の実施の形態〕
図１２及び図１３は本発明の第３の実施の形態の階調変換装置に係るものである。
【００４７】
演算を軽くする方式としては、補正するγ特性を予め計算しておき、単に選択する方式とするものである。但し、「γ特性曲線の８ビットの入力信号に関して０〜２５５のレベルをＮ個に分割して、Ｎ次元の係数空間に展開してクラスタリングを行うことによって、所定の誤差以内に収まるような標本のγ特性曲線を求める方法」に比べて、図１２に示すように、予め主成分分析を行って各サンプルの特徴曲線を主成分の係数空間によって展開する方法を用いれば、クラスタリングによる分離の効率が良い。このとき前述のように計算の精度を考慮して、平均特性と差分特性に分離してから、主成分分析を行うようにしても良い。
【００４８】
まず、図１２のように、主成分の係数空間でクラスタリングを行い主成分の係数の標本値を求め、この標本値から、標本となるγ特性曲線を求める。このときクラスタの大きさから誤差を評価し、実用上問題とならない程度の誤差に収まるようにクラスタリングを行う。
【００４９】
図１２の楕円は、そこに含まれる各点＊は主成分の係数（１〜Ｎ）の値をもったＮ次元の値で、各点をクラスタ（楕円）で分類することによって、クラスタの代表値でそのクラスタに含まれる各点の特性を表す。すなわち、このようなクラスタリングを行わなかった場合、各点＊の特性を記憶しなければならないが、クラスタリングを行うことによって各点＊がどのクラスタに帰属しているかということだけを記憶しておけばよいので、メモリ容量の節約になる。各クラスタの代表値のことを「標本」と言っている。
【００５０】
各クラスタを構成する係数の集合と標本となる係数が結びつけられているので、或る領域または画素における主成分の係数と標本となる階調変換特性を結びつけるようなルックアップテーブルが作成できる。
【００５１】
そして、前述の標本となる階調変換特性の曲線と、各領域または画素に対応するルックアップテーブルとをそれぞれメモリ手段に記憶して、階調変換を行う。
【００５２】
図１３は上述した第３実施形態の階調変換装置の構成を示している。Ｎ個のγ特性を記憶したγ変換部４０１−１，…，４０１３−Ｎと、領域または画素における主成分の係数と標本となるγ特性を結びつけるテーブルを記憶したブロック対応γテーブル番号メモリ４００３と、選択回路４０２とで構成されており、第１，第２実施形態のような演算回路は必要としない。第１〜第Ｎのγ変換部４０１−１，…，４０１３−Ｎに記憶されたγ特性は、上述のクラスタリングによって求めた標本のγ特性である。ブロック対応γテーブル番号メモリ４００３に記憶するテーブルは、或る指定した領域または画素の主成分の係数とクラスタである標本のγ特性を対応させたルックアップテーブルになっている。このルックアップテーブルに基づき選択回路４０２でどのγ特性のカーブを用いるかが選択され、選択回路４０２から階調変換された信号値Ｓとして出力される。
【００５３】
〔第４の実施の形態〕
図１４〜図１６は本発明の第４の実施の形態の色変換装置に係るものである。
【００５４】
本第４の実施形態では、本発明をプリンタに応用する際のカラープロファイルの作成に関して説明する。図１８に示したように、ＣＭＹＫヘッドに位置ずれがある場合には最適にはヘッドのノズル毎にカラープロファイルを測定すべきであるが、処理工数が膨大になるため、所定エリア毎にプロファイルを測定するのが現実的である。
【００５５】
図１４に示すように例えばヘッド印字幅の１／５〜１／１０程度の領域に対応したカラープロファイルを測定するのが処理工数的も有効である。そして、この図１４のように各領域に対応してカラーパッチを印字する。パッチ数はプロファイルの作成方法にもよるがＣＭＹＫをそれぞれ８段階に分けるとすれば、８＊８＊８＊８＝４０９６パッチとなる。図１４のハッチング部分が４０９６パッチあることを示している。なお、印字したパッチはをカメラや色度計等で撮影して、従来の方法を利用して各色の補正のための階調特性を算出する。
【００５６】
また、変形例として図１５のような単色のヘッドを複数並べたシステムに利用する場合について説明する。このシステムでは単一のヘッドより大きなエリアを印字できるため、高速なプリントができるというメリットを持つ。但し、ヘッドのつなぎめ付近では色変化が急激におきるため、図１４で提案したカラープロファイル測定用のカラーパッチを図１６のようにヘッドのつなぎ目付近でより細かくする。このようにカラープロファイル測定用パッチをヘッドのつなぎ目付近で細かくすることにより、パッチ数をあまり多くせずに高精度にカラープロファイルの測定が可能となる。なお、ヘッドが３つ以上繋がる場合等ではオーバーラップ部分の細かさはヘッドの位置ずれの大きさに応じて変化させるようにしてもよい。
【００５７】
なお、印字したパッチの撮影に関しては特開２０００−１６８１０９号公報のようなマルチスペクトルスキャナを利用してもよい。
【００５８】
尚、以上述べた実施の形態では、デバイスインディペンデントな色空間としてＣＩＥ−ＸＹＺ表色系につき説明したが、本発明ではデバイスインディペンデントな色空間としてはＣＩＥ−Ｌ＊ａ＊ｂ＊表色系であっても良い。
【００５９】
【発明の効果】
以上述べたように本発明によれば、プロジェクタやプリンタなどの出力装置の複数の領域または画素ごとの階調変換特性・色変換特性を、平均特性と差分特性の主成分との線形結合で近似的に表現することで、膨大な変換特性データを圧縮し、少ない記憶容量で出力装置の出力範囲の全体における輝度、色補正が行える。出力装置の低コスト化、小型化にもつながるものである。
【図面の簡単な説明】
【図１】本発明の第１の実施の形態の階調変換装置の構成を示すブロック図。
【図２】第１の実施形態での、第１のレベル変換手段における逆γの平均特性と第２のレベル変換手段における逆γの差分特性の主成分の各算出方法について説明するための図。
【図３】第１の実施形態での、第１のレベル変換手段における逆γの平均特性と第２のレベル変換手段における逆γの差分特性の主成分の各算出方法について説明するための図。
【図４】各領域または画素のγ特性をこれらの線形結合で表現するための図。
【図５】本発明の第１の実施の形態の変形例の階調変換装置の構成を示すブロック図。
【図６】複数のプリンタヘッドを有する従来のカラープリンタにおける、色変換の不具合を説明するための図。
【図７】複数のプリンタヘッドを有する従来のカラープリンタの構成を示すブロック図。
【図８】本発明の第２の実施形態の色変換装置の構成を示すブロック図（ＣＭＹＫの１個の出力特性を示す構成）。
【図９】本発明の第２の実施形態の色変換装置の構成を示すブロック図（図８をＣＭＹＫの各色に割り当てた構成）。
【図１０】マルチヘッドのカラープリンタにおける、測色の結果からのガマットマッピング（色域圧縮）を行う手順を説明する図。
【図１１】マルチヘッドのカラープリンタにおける、測色の結果からのガマットマッピング（色域圧縮）を行う手順を説明する図。
【図１２】本発明の第３の実施の形態の階調変換装置に係り、予め主成分分析を行って各サンプルの特徴曲線を主成分の係数空間によって展開する方法を説明する図。
【図１３】本発明の第３の実施の形態の階調変換装置構成を示すブロック図。
【図１４】カラープリンタにおいて、カラープロファイルを作成する際の、カラープロファイル測定用パッチを示す図。
【図１５】単色のヘッドを複数並べたシステムを示す図。
【図１６】図１５のシステムを有するカラープリンタにおいて、カラープロファイルを作成する際の、カラープロファイル測定用のカラーパッチを示す図。
【図１７】カラープリンタに使用されるマルチヘッドのうちのＣヘッドが位置ずれして取り付けられている状態を示す図
【図１８】図１７の印字結果を示す図。
【図１９】従来のカラープリンタにおける色変換装置を示すブロック図。
【図２０】他の従来例の変換装置を示すブロック図。
【図２１】プロジェクタ単体による従来の表示システムにおける色変換装置を示すブロック図。
【図２２】複数のプロジェクタを用いた従来の表示システムにおいて階調補正を行う際の不具合を説明する図。
【符号の説明】
１０２　第１のレベル変換手段（γの平均特性のレベル変換）
１０３−１，１０３−２，…１０３−Ｎ　第２のレベル変換手段（平均特性と各々の領域または画素での逆γの差分特性の主成分によるレベル変換）
１０４　テーブル（各領域または画素の主成分の係数ａ１，ａ２，…ａＮを持ったテーブル）
１０６−１，１０６−２，…１０６−Ｎ　乗算器
【図１】
2004007274.tif 000003
【図２】
2004007274.tif 000004
【図３】
2004007274.tif 000005
【図４】
2004007274.tif 000006
【図５】
2004007274.tif 000007
【図６】
2004007274.tif 000008
【図７】
2004007274.tif 000009
【図８】
2004007274.tif 000010
【図９】
2004007274.tif 000011
【図１０】
2004007274.tif 000012
【図１１】
2004007274.tif 000013
【図１２】
2004007274.tif 000014
【図１３】
2004007274.tif 000015
【図１４】
2004007274.tif 000016
【図１５】
2004007274.tif 000017
【図１６】
2004007274.tif 000018
【図１７】
2004007274.tif 000019
【図１８】
2004007274.tif 000020
【図１９】
2004007274.tif 000021
【図２０】
2004007274.tif 000022
【図２１】
2004007274.tif 000023
【図２２】
2004007274.tif 000024
【手続補正書】
【提出日】平成14年11月14日(2002.11.14)
【手続補正１】
【補正対象書類名】明細書
【補正対象項目名】０００９
【補正方法】変更
【補正の内容】
【０００９】通常、カラープリンタシステムでは色処理にカラープロファイルが利用されるが、これはヘッドが所定の公差内で位置決めされ、印字されるドットが全て同じ位置に印字されることを前提に作成されている。なお、カラープロファイルは、それぞれのカラープリンタからどんな色が出力されるかという情報が書かれたものであり、オペレーティングシステム（ＯＳ）のカラーマネジメントシステム（ＣＭＳ）という機能でカラープロファイルの設定が行えるようになっている。


【手続補正２】
【補正対象書類名】明細書
【補正対象項目名】００１３
【補正方法】変更
【補正の内容】
【００１３】一方、プロジェクタを用いた表示システムでは、図２１のようにプロジェクタ単体でのＲＧＢデータの色補正はマトリクス補正とＲＧＢ各色に対するγ補正により行われる。プロジェクタのγ特性はＤＬＰプロジェクタ（ＤＬＰはＤｉｇｉｔａｌ　Ｌｉｇｈｔ　Ｐｒｏｃｅｓｓｉｎｇの略）では画面内でほとんど均一であるが、ＬＣＤプロジェクタ（ＬＣＤはＬｉｑｕｉｄ　Ｃｒｙｓｔａｌ　Ｄｉｓｐｌａｙの略）では画面内でのばらつきが１０％あるためγ補正は画像内で適応的に行う必要があり、この場合にはγ補正部の処理規模が膨大になる。


【手続補正３】
【補正対象書類名】明細書
【補正対象項目名】００４３
【補正方法】変更
【補正の内容】
【００４３】図１０では、各プリンタヘッドに対して、図１０（ａ）のような所定の制御信号によって例えばインクの吐出を制御して、その吐出結果を測色計によって図１０（ｂ）のようにＬ＊ａ＊ｂ＊色で測定する。この関係の逆変換を行い、図１０（ｃ）に示すようにＬ＊ａ＊ｂ＊色空間からインクの吐出量を求められるようなテーブルを作成する。これを複数のヘッドについて行うとガマット境界が一致しないという不具合が生じる。これによって、彩度または輝度がガマットマッピングの周辺になるにつれて表現できない色が出てくる。そこで、図１１に示すように、ガマットマッピングの重複した領域のみを抽出し、その重複した領域に対して、複数の領域のカラープロファイル変換特性に対して、平均特性と各々の領域でのカラープロファイル変換特性の差分特性に対する適切な次数の主成分信号を算出することによって、出力装置の、各領域、あるいは各画素に対応したカラープロファイルを主成分の係数として記憶する。つまり、重複した領域については、主成分による圧縮が行われる。さらに、重複の無い領域に関しては、個々領域または画素に対するカラープロファイルの変換特性を非圧縮で記憶する。この様にして得られた、主成分の係数と非圧縮の色変換特性を合成して記憶させ、出力装置の複数領域または複数画素に対応するカラープロファイル変換特性とする。